(57)【要約】【課題】  フットバス使用時の空間確保のためにフットレストの幅が狭くなりネイル作業が行い難く、また、ＵＶライトによる施術がし難いといった問題もあった。【解決手段】  椅子２を構成する一対の脚体１における脚部１ｂの前方にＬ字状に形成され一辺の先端が回動自在に軸支されたフットレストアーム６ａと、該フットレストアームの他辺に取付けられたフットレスト６ｄとより構成し、前記フットレストアームを起立方向に回動すると前記フットレストが椅子の前方において平行状態となり、また、前記フットレストアームを伏倒方向に回動すると前記フットレストが前記椅子の下面側に収納可能とした椅子と一体化した施術装置である。【選択図】        図１
2010125101.tif 000002
【特許請求の範囲】
【請求項１】
椅子を構成する一対の脚体における脚部の前方にＬ字状に形成され一辺の先端が回動自在に軸支されたフットレストアームと、該フットレストアームの他辺に取付けられたフットレストとより構成し、前記フットレストアームを起立方向に回動すると前記フットレストが椅子の前方において平行状態となり、また、前記フットレストアームを伏倒方向に回動すると前記フットレストが前記椅子の下面側に収納可能としたことを特徴とする椅子と一体化した施術装置。
【請求項２】
前記フットレストアームの軸支部より先端側に足踏み用のペダルを取付けると共に前記脚体と前記ペダル側との間にスプリングを張設したことを特徴とする請求項１記載の椅子と一体化した施術装置。
【請求項３】
前記一対の脚体間にフットバスを載置するためのフットバス載置台を取付けたことを特徴とする請求項１記載の椅子と一体化した施術装置。
【請求項４】
椅子を構成する一対の脚体における脚部の前方にＬ字状に形成され一辺の先端が回動自在に軸支されたフットレストアームと、該フットレストアームの他辺に取付けられたフットレスト、前記フットレストアームの軸支点と同じ軸支点で軸支されたフットバス載置台と、該フットバス載置台に取付けられたフットバスとより構成し、前記フットレストおよびフットバス載置台を個別に回動することで、フットレストとフットバスとを椅子の前方に配置でき、また、フットレストあるいはフットバスを個別に前記椅子の下面側に収納可能としたことを特徴とする椅子と一体化した施術装置。
【請求項５】
前記フットレストは長方形であって、該長方形の長手方向に２分割すると共に分割したフットレストは個別にスライド可能としたことを特徴とする請求項１または４記載の椅子と一体化した施術装置。
【請求項６】
椅子を構成する一対の脚体における脚部に対してフットバスを座部の裏面側に収納する位置と椅子の前方に位置とに回動自在に取付け、かつ、フットレストを前記フットバスの前方に取付けたことを特徴とする椅子と一体化した施術装置。
【請求項７】
前記フットレストは長方形であって、該長方形の長手方向に２分割すると共に分割したフットレストは個別にフットバスに対してスライド可能としたことを特徴とする請求項１記載の椅子と一体化した施術装置。
【発明の詳細な説明】
【技術分野】
【０００１】
本発明は、椅子の前方下部に被施術者の足を載せてネイルやＵＶライトによるフットケアためのフットレストと、被施術者が足を入れて血行を促進するフットバスとを備えた椅子と一体化した施術装置に関する。
【背景技術】
【０００２】
従来におけるフットレストとフットバスを使用してネイルやフットケアおよび足の血行を良好とする施術装置としては、例えば、本出願人会社が運営しているホームページに開示されているフットバスワゴン、あるいは本出願人会社が意匠出願した意匠登録第１１０１０２９号公報におけるフットバスワゴンの参考図がある。
【０００３】
前記ホームページに開示されているフットバスワゴンの写真および意匠登録第１１０１０２９号公報の参考図に開示されているフットバスワゴンから明らかなように、キャスターを有する枠体の下部にフットバスを載置するためのフットバス載置台が設けられ、上方に被施術者が足を載せる足載せ台が設けられ、かつ、前記枠体の上方には手摺りが一体的に形成されたものである。
【特許文献１】意匠登録第１１０１０２９号公報
【非特許文献１】タカラベルモント株式会社のホームページにおける「エステ」を選択し、「ハンド＆フットケア」を選択して表示されるＵＲＬ「http://www.takarabelmont.co.jp/ribiyou/esthe/index.html 」の写真と説明および同ページのディオカートをクリックした次ページの使用状態写真
【発明の開示】
【発明が解決しようとする課題】
【０００４】
ところで、前記した意匠登録公報およびホームページの写真に開示されたフットバスワゴンにあっては、フットレストワゴンを使用を使用しない時には邪魔となるため移動する必要があるが、このフットレストワゴンを収納するためのスペースが必要となり、狭い理美容院においては収納するためのスペースを確保することが非常に問題となり、また、フットバス使用時の空間確保のためにフットレストの幅が狭くなりネイル作業が行い難く、また、ＵＶライトによる施術がし難いといった問題もあった。
【０００５】
本発明は前記した問題点を解決せんとするもので、その目的とするところは、フットレストに足を載せてネイル作業やＵＶライトによる施術と、フットバスによる血行促進の施術を同時に行うことができ、また、前記何れかの施術を単独で行うことができ、さらに、少なくともフットレストを使用しない時には椅子の座部下面側に収納することができる椅子と一体化した施術装置を提供せんとするものである。
【課題を解決するための手段】
【０００６】
本発明の椅子と一体化した施術装置は前記した目的を達成せんとするもので、請求項１の手段は、椅子を構成する一対の脚体における脚部の前方にＬ字状に形成され一辺の先端が回動自在に軸支されたフットレストアームと、該フットレストアームの他辺に取付けられたフットレストとより構成し、前記フットレストアームを起立方向に回動すると前記フットレストが椅子の前方において平行状態となり、また、前記フットレストアームを伏倒方向に回動すると前記フットレストが前記椅子の下面側に収納可能としたことを特徴とする。
【０００７】
請求項２の手段は、前記した請求項１において、前記フットレストアームの軸支部より先端側に足踏み用のペダルを取付けると共に前記脚体と前記ペダル側との間にスプリングを張設したことを特徴とする。
【０００８】
請求項３の手段は、前記した請求項１において、前記一対の脚体間にフットバスを載置するためのフットバス載置台を取付けたことを特徴とする。
【０００９】
請求項４の手段は、椅子を構成する一対の脚体における脚部の前方にＬ字状に形成され一辺の先端が回動自在に軸支されたフットレストアームと、該フットレストアームの他辺に取付けられたフットレスト、前記フットレストアームの軸支点と同じ軸支点で軸支されたフットバス載置台と、該フットバス載置台に取付けられたフットバスとより構成し、前記フットレストおよびフットバス載置台を個別に回動することで、フットレストとフットバスとを椅子の前方に配置でき、また、フットレストあるいはフットバスを個別に前記椅子の下面側に収納可能としたことを特徴とする。
【００１０】
請求項５の手段は、前記した請求項１または４において、前記フットレストは長方形であって、該長方形の長手方向に２分割すると共に分割したフットレストは個別にフットレストアームに対してスライド可能としたことを特徴とする。
【００１１】
請求項６の手段は、椅子を構成する一対の脚体における脚部に対してフットバスを座部の裏面側に収納する位置と椅子の前方に位置とに回動自在に取付け、かつ、フットレストを前記フットバスの前方に取付けたことを特徴とする。
【００１２】
請求項７の手段は、前記した請求項６において、前記フットレストは長方形であって、該長方形の長手方向に２分割すると共に分割したフットレストは個別にフットバスに対してスライド可能としたことを特徴とする。
【発明の効果】
【００１３】
本発明は前記したように、椅子を構成する一対の脚体にフットレストアームを回動自在に軸支し、該フットレストアームの他辺にフットレストを取付け、フットレストアームを起立方向に回動するとフットレストが椅子の前方において平行状態となり、また、フットレストアームを伏倒方向に回動するとフットレストが椅子の下面側に収納可能としたので、フットレストを椅子の下面側に収納することで椅子への乗り降りが容易に行え、かつ、ネイル作業やＵＶライトによる施術を行う時にはフットアームを前方に回動することで、簡単に施術状態に変更することができる。
【００１４】
また、フットレストアームの軸支部より先端側に足踏み用のペダルを取付けたので、椅子座部の下面側に収納されているフットレストを起立するにはペダルを踏み込むことで行え、かつ、脚体とペダル側との間にスプリングを張設したことによりペダルの踏み込み時にスプリングのバネ力が作用して踏み込み力を軽減することができ、従って、弱い踏み込み力で容易に施術状態に移行できる。
【００１５】
さらに、前記脚体の間にフットバスを載置するためのフットバス載置台を取付けたことにより、フットバスを使用する際には載置台の上に載置することで、片方の足をフットバス内に入れて血行促進を図り、他の足をフットレストの上に載せてネイル作業やＵＶライトによる施術を同時受けることができ、施術時間の短縮を図ることができる。
【００１６】
また、脚体に対して同軸でフットレストとフットバスを同時あるいは個別に回動してフットレストとフットバスの一方のみを使用可能としたり、さらに、両方を使用可能としたり、さらに、両方を椅子の座部下面側に収納することができるようにしたので、施術対象に応じて様々の対応が迅速に行えると共に両方を座部下面側に収納することで被施術者の椅子への乗り降りが安全に行える。
【００１７】
また、フットレストを長方形の長手方向に２分割すると共に分割したフットレストは個別にスライド可能としたことにより、被施術者の足の長さに応じて一方のフットレストを前方あるいは後方に移動することで一方の足のネイルやＵＶライトによる施術を行い、片方の足をフットバスで血行の促進を行う場合に、被施術者の片足を安楽な状態で支持することができると共にフットバスに入れた足とフットレストとの間隔が長くなるのでフットレストが邪魔になることがなく、さらに、両方の足を施術する場合には両方のフットレストを前後方向に移動することで、足の長さに関係なく両足をフットレストで支持できて安楽な状態で施術が行える。
【００１８】
さらに、フットバスを脚部に対して座部の裏面側に収納する位置と椅子の前方に位置とに回動自在に取付けられ、かつ、フットレストがフットバスの前方に取付けられているので、構造が簡単でコストの低減を図ることができ、また、フットレストをフットバスに対して前後動可能に取付けることで、足の長さに関係なく両足をフットレストで支持できて安楽な状態で施術が行える等の効果を有するものである。
【発明を実施するための最良の形態】
【００１９】
本発明は、椅子を構成する一対の脚体の前方にフットレストアームを回動自在に軸支し、該フットレストアームの他辺にフットレストを取付け、フットレストアームを回動することで椅子の座部下面側にフットレストを収納できるようにした。
【実施例１】
【００２０】
以下、本発明に係る椅子と一体化した施術装置の第１の実施例を図１〜図６と共に説明する。
１は椅子２を支持する一対の脚体にして、床面に高さ調整具１ａが取付けられた脚部１ｂと、該脚部１ｂに下端が取付けられ垂直方向に起立された支柱部１ｃと、該支柱部１ｃの中間部分に取付けられ椅子２の座部２ａ裏面を支持する支持板１ｄと、支柱部１ｃの補強を行う補強杆１ｅとから構成されている。
【００２１】
３は前記支柱部１ｃの上端に回転、かつ、抜き差し可能に取付けられた取付管３ａと、該取付管３ａの上端に取付けられた天板３ｂとから構成されたテーブル兼用の肘掛けである。４は前記脚体１の脚部１ｂの間に固定されたフットバス載置台にして、フットバス５がスライド可能に載置される。なお、図示していないが、フットバス５には給湯、排出するための給排水口が設けられている。
【００２２】
６はフットレスト装置にして、Ｌ字状のフットレストアーム６ａの垂直部が前記脚部１ｂに固定された取付板１ｆの回転軸１ｇに軸支されている。前記フットレストアーム６ａの下端には足踏み用のペダル６ｂが取付けられ、該ペダル６ｂと前記回転軸１ｇとの間には一端が脚部１ｂに係止されたスプリング７の他端が係止される係止ピン６ｃが形成されている。
【００２３】
また、前記フットレストアーム６ａの水平部には長方形に形成され、かつ、長手方向に沿って２分割されたフットレスト６ｄが図示しないスライドレールによって前後方向にスライド可能に取付けられている。
【００２４】
なお、実施例においては、フットレスト６ｄを２分割してそれぞれを前後方向にスライド可能とし被施術者の足の長さに応じてフットレスト６ｄを前後動することで安楽な姿勢で施術を受けることが可能としたが、必ずしも２分割せず、かつ、スライド可能とする必要はない。
【００２５】
前記した如き構成とすることで、ネイルやＵＶライトによる施術を行う場合には、図１に示すフットレスト６ｄが椅子２の座部下面側に収納されている状態において施術者がペダル６ｂを踏み込むとスプリング７のバネ力はフットレストアーム６ａを起立する方向に作用しているので、施術者が非力な女性であっても極めて容易に起立状態とすることができる。
【００２６】
このフットレストアーム６ａが起立した状態はフットレスト６ｄが椅子２の前面側に位置しているので（図２参照）、被施術者はフットレスト載置台４の上から座部２ａに着座し足をフットレスト６ｄに載せる（図３参照）。この状態において施術者は足の長さが異なる被施術者にとって安楽な姿勢となるようにフットレスト６ｄをフットレストアーム６ａに対して前後動させる（図４〜図６参照）。
【００２７】
この状態において、被施術者のネイル作業を行ったりＵＶライトによる血行促進治療を行うことで、被施術者にとって安楽な姿勢で施術を受けることができ、また、施術者にとっても施術が行い易いものである。なお、ＵＶライトによる施術の場合には、被施術者の一方の足をフットレスト６ｄから下に下ろし、その下ろしたフットレスト６ｂにＵＶライトを置くことで施術が行い易くものである。
【００２８】
次に、前記ネイルやＵＶライトによる施術と同時にフットバス５による血行促進を同時に行う場合には、図４，図５に示すようにフットバス５をフットレスト６ｄの下側からフットバス載置台５を挿入し、該フットバス５にお湯を注入して被施術者の施術を行っていない方の足を入れることで、一方の片足の血行促進と他の片足の施術を同時に行うことができる。
【００２９】
なお、前記した施術や血行促進中において、被施術者はテーブル兼用の肘掛け３の天板に肘を載せて安楽姿勢を保つことができ、あるいは、本を載せて読書を行うことができる。
【００３０】
図６はネイルやＵＶライトによる施術を行わず、血行の促進のみを行う場合を示したもので、この場合には、フットレスト装置のフットレスト６ｄを椅子２の座部２ａの下面側に収納し、フットバス５がフットバス載置台４に載置され、被施術者は両足をフットバス５内に入れることで、両足の血行促進を同時に受けることができる。
【実施例２】
【００３１】
前記した第１の実施例にあっては、フットバス５をフットバス載置台４に載置して使用する場合であるが、フットバス５を使用しない場合にはフットバス５が邪魔になる。そこで、第２の実施例にあっては、フットレスト６ｄとフットバス５を個別または同時に椅子２の座部２ａの下面側に収納可能とし、フットバス５を使用しない場合にはフットバス５のみを座部下面側に収納するようにしたものである。
【００３２】
以下、第２の実施例について図７〜図１０と共に説明する。なお、第１の実施例と同一符号は同一部材を示し説明は省略する。
８は前記した脚体１における脚部１ｂの前方に同軸１ｈに回動自在に軸支されたフットバス取付板にして、フットバス５が固定状態で取付けられている。９はＬ字状のフットレストアーム９ａの垂直部が前記同軸１ｈに回転自在に軸支されたフットレスト装置にして、前記フットレストアーム９ａの水平部には長方形に形成されたフットレスト９ｂが取付けられている。
【００３３】
このように構成した第２の実施例にあっては、被施術者を椅子２に導入するには図６に示したようにフットバス５内の湯を排水した状態でフットバス取付板８を同軸１ｈを支点として回転し椅子２の座部２ａの下面側に収納し、また、フットレスト装置９のフットレストアーム９ａを、同軸１ｈを支点として回転しフットバス５よりも後方にフットレスト９ｂが収納する。この状態においては椅子２の前方にはフットバス５もフットレスト装置９も無い状態となるので、被施術者は椅子２への着座が容易となる。
【００３４】
そして、着座した被施術者がネイルやＵＶライトによる施術を希望する場合には、座部２ａの下面側に収納されているフットレストアーム９ａを施術者が回転して図７に示すように前方に起立させることで、被施術者の足先にフットレスト９ｂが位置するので、該フットレスト９ｂに足を載せることで、ネイルやＵＶライトによる施術を行うことができる。
【００３５】
また、被施術者がフットバス５のみによる血行促進を希望する場合には、図８に示すようにフットレスト装置９は座部２ａの下面側に収納した状態でフットバス取付板８を、同軸１ｈを回転支点として回動しフットバス５を着座している被施術者の足元側に位置させ、フットバス５内にお湯を注入することで、足の血行促進施術を行うことができる。
【００３６】
さらに、被施術者がネイルやＵＶライトによる施術と、血行促進を希望する場合には、図９に示すようにフットバス取付板８とフットレストアーム９ａを、同軸１ｈを回動支点として回動しフットバス５にお湯を注入して片足をフットバス５内に入れ、一方の足を水平状態にあるフットレスト９ｂの上に載せることで、ネイルやＵＶライトの施術と血行促進を同時に行うことができる。
【００３７】
なお、第２の実施例で図示したフットレスト９ｂはフットレストアーム９ａに一体化されているが、第１の実施例で示したと同様にフットレスト９ｂを長手方向に２分割すると共にそれぞれをスライド可能とすることで、被施術者の足の長さに対応することができる。
【実施例３】
【００３８】
前記した第１、第２の実施例は、フットバス５とフットレスト６ｄ，９ｂとを別個に構成し、個別にフットバス５とフットレスト６ｄ，９ｄを椅子２の前方に出したり、座部２ａの下部に収納可能なものであるが、第３の実施例はフットバス５にフットレスト１０を直接取付けたものである。
【００３９】
以下、第３の実施例について図１１と共に説明する。なお、第１、第２の実施例と同一符号は同一部材を示し説明は省略する。
この実施例あっては、フットバス５の底面部分が脚体１の脚部１ｂに固定された取付板１ｆの回転軸１ｇに回動自在に軸支されている。また、フットレスト１０はフットバス５の先端側上面に固定あるいはフットレスト１０を長方形に構成し長手方向に２分割し、分割したフットレスト１０をそれぞれフットバス５に対してスライド自在に取付けられている。
【００４０】
このように構成することで、フットバス５やフットレスト１０を使用するには、被施術者が椅子２に着座が容易に行えるように座部２ａの下面側に収納されているフットバス５を、被施術者が着座した後に回転軸１ｇを支点として反時計方向に回動して椅子の前方に位置させる。
【００４１】
そして、フットバス５内に湯を入れて被施術者の片足をフットバス５内に入れて血行の促進を行い、片方の足をフットレスト１０に載せてネイルやＵＶライトによる施術を行うことができる。なお、フットバス５を使用しない場合にはフットバス５内に湯を入れる必要がないことは当然のことである。
【００４２】
前記した実施例と同様にフットレスト１０をフットバス５に対してスライド可能な構成とすることで、被施術者の足の長さに応じてフットレスト１０をスライドすることで、リラックス状態でネイルやＵＶライトによる施術を受けることが可能となる。
【００４３】
そして、施術が終了した後はフットバス５内の湯を排出し、フットバス５を回動することで座部２ａの裏面側にフットバス５とフットレスト１０は収納されるので、被施術者の椅子１から下りることが容易に行える。
【００４４】
なお、前記した第２、第３の実施例には肘掛け３を図示していないが、それぞれの実施例にも肘掛け３を取付けることも可能である。
【図面の簡単な説明】
【００４５】
【図１】本発明に係る椅子と一体化した施術装置の第１の実施例を示すフットレスト装置を椅子の座部下面側に収納した状態の斜視図である。
【図２】フットレスト装置を椅子の前方に回動した状態の斜視図である。
【図３】被施術者の施術状態を示す側面図である。
【図４】フットバスをフットバス載置台に装備した状態の斜視図である。
【図５】被施術者が片足をフットレストに載せ、他方の足をフットバスに入れた状態の側面図である。
【図６】フットレスト装置を椅子の下面側に収納し、フットバスによる施術状態を示す側面図である。
【図７】第２の実施例を示し、フットレスト装置とフットバスを椅子の下面側に収納した状態の側面図である。
【図８】フットレスト装置のみを椅子の前方に回動した状態の側面図である。
【図９】フットバスのみを椅子の前方に回動した状態の側面図である。
【図１０】被施術者が片足をフットレストに載せ、他方の足をフットバスに入れた状態の側面図である。
【図１１】第３の実施例を示す側面図である。
【符号の説明】
【００４６】
１          脚体
１ｂ        脚部
２          椅子
４          フットバス載置台
５          フットバス
６          フットレスト装置
６ａ        フットレストアーム
６ｂ        フットレスト
７          スプリング
８          フットバス取付板
９          フットレスト装置
９ａ        フットレストアーム
９ｂ        フットレスト
１０        フットレスト
【図１】
2010125101.tif 000003
【図２】
2010125101.tif 000004
【図３】
2010125101.tif 000005
【図４】
2010125101.tif 000006
【図５】
2010125101.tif 000007
【図６】
2010125101.tif 000008
【図７】
2010125101.tif 000009
【図８】
2010125101.tif 000010
【図９】
2010125101.tif 000011
【図１０】
2010125101.tif 000012
【図１１】
2010125101.tif 000013